(57)【特許請求の範囲】
【請求項１】
アンカーボルトの下端側に取り付け、アンカーボルトを保持する保持治具であって、アンカーボルトを挟持するＵボルトの先端を挿通する挿通孔が形成された板状のプレート材と、角部がプレート材に固着され、アンカーボルトを挟持するＵボルトが嵌るように切欠溝が形成されたＬ型断面の保持用アングル材と、からなり、保持用アングル材の内角側にアンカーボルトを沿えて、保持用アングル材の内角側からプレート材に挿通したＵボルトをプレート材の背面側でナットで締結することでアンカーボルトを挟持することを特徴とするアンカーボルト保持治具。
【請求項２】
アンカーボルトの下端側に取り付け、アンカーボルトを保持する保持治具であって、アンカーボルトを挟持するＵボルトの先端を挿通する挿通孔が形成された板状のプレート材と、角部がプレート材に固着され、アンカーボルトを挟持するＵボルトが嵌るように切欠溝が形成されたＬ型断面の保持用アングル材と、保持用アングル材の下端側の内角側に固着されたスタッドボルトと、スタッドボルトに取り付けられたナットと、からなり、保持用アングル材の内角側にアンカーボルトを沿えて、保持用アングル材の内角側からプレート材に挿通したＵボルトをプレート材の背面側でナットで締結することで、スタッドボルトの上端面に載置したアンカーボルトを挟持したうえで、ナットをスタッドボルト上で螺進させて鉛直方向に上下させ、アンカーボルト保持治具と連結するポストアングルとの連結位置を変えることで、アンカーボルトの鉛直方向の位置を調節することができることを特徴とするアンカーボルト保持治具。
【請求項３】
アンカーボルトの下端側に取り付け、アンカーボルトを保持する保持治具であって、アンカーボルトを挟持するＵボルトの先端を挿通する挿通孔が形成された板状のプレート材と、角部がめり込むようにプレート材に固着され、アンカーボルトを挟持するＵボルトが嵌るように切欠溝が形成されたＬ型断面の保持用アングル材と、からなり、保持用アングル材の内角側にアンカーボルトを沿えて、保持用アングル材の内角側からプレート材に挿通したＵボルトをプレート材の背面側でナットで締結することでアンカーボルトを挟持することを特徴とするアンカーボルト保持治具。
【請求項４】
アンカーボルトの下端側に取り付け、アンカーボルトを保持する保持治具であって、アンカーボルトを挟持するＵボルトの先端を挿通する挿通孔が形成された板状のプレート材と、角部がめり込むようにプレート材に固着され、アンカーボルトを挟持するＵボルトが嵌るように切欠溝が形成されたＬ型断面の保持用アングル材と、保持用アングル材の下端側の内角側に固着されたスタッドボルトと、スタッドボルトに取り付けられたナットと、からなり、保持用アングル材の内角側にアンカーボルトを沿えて、保持用アングル材の内角側からプレート材に挿通したＵボルトをプレート材の背面側でナットで締結することで、スタッドボルトの上端面に載置したアンカーボルトを挟持したうえで、ナットをスタッドボルト上で螺進させて鉛直方向に上下させ、アンカーボルト保持治具と連結するポストアングルとの連結位置を変えることで、アンカーボルトの鉛直方向の位置を調節することができることを特徴とするアンカーボルト保持治具。 
【請求項５】
アンカーボルト支持装置のベース部に取り付け、ベース部から立設させてアンカーボルト保持治具と連結させる下端側治具であって、ベース部との間で締結するボルトを挿通する挿通孔が形成されたＬ型断面のアングル材と、アングル材の内角側に固着されたスタッドボルトと、スタッドボルトに取り付けられたナットと、からなり、ナットをスタッドボルト上で螺進させて鉛直方向に上下させ、下端側治具と連結するポストアングルとの連結位置を変えることで、アンカーボルトの鉛直方向の位置を調節することができることを特徴とするアンカーボルト支持装置の下端側治具。 
【請求項６】
請求項１または３記載のアンカーボルト保持治具と、捨てコンクリート上に設置されるベース部と、ベース部から立設する請求項５記載の下端側治具と、下端側治具及びアンカーボルト保持治具とそれぞれ連結させるＬ型断面のポストアングルと、によって構成され、ベース部から立設する請求項５記載の下端側治具のスタッドボルトをポストアングルの内角側でＵボルトによって挟持して締結し、下端側治具とポストアングルとを連結するとともに、請求項１または３記載のアンカーボルト保持治具の保持用アングル材とポストアングルとを、それぞれに形成したボルト挿通孔を重ねてボルトで締結して連結し、下端側治具のスタッドボルトに取り付けたナットを、スタッドボルト上で螺進させて鉛直方向に上下させ、下端側治具と連結するポストアングルとの連結位置を変えることで、アンカーボルトの鉛直方向の位置を調節することができることを特徴とするアンカーボルト支持装置。
【請求項７】
請求項２または４記載のアンカーボルト保持治具と、捨てコンクリート上に設置されるベース部と、ベース部から立設する請求項５記載の下端側治具と、下端側治具及びアンカーボルト保持治具とそれぞれ連結させるＬ型断面のポストアングルと、によって構成され、ベース部から立設する請求項５記載の下端側治具のスタッドボルトをポストアングルの内角側でＵボルトによって挟持して締結し、下端側治具とポストアングルとを連結するとともに、請求項２または４記載のアンカーボルト保持治具のスタッドボルトをポストアングルの内角側でＵボルトによって挟持して締結し、アンカーボルト保持治具とポストアングルとを連結し、下端側治具のスタッドボルトに取り付けたナットを、スタッドボルト上で螺進させて鉛直方向に上下させ、下端側治具と連結するポストアングルとの連結位置を変えることで、または／及び、アンカーボルト保持治具のスタッドボルトに取り付けたナットを、スタッドボルト上で螺進させて鉛直方向に上下させ、アンカーボルト保持治具と連結するポストアングルとの連結位置を変えることで、アンカーボルトの鉛直方向の位置を調節することができることを特徴とするアンカーボルト支持装置。 
【発明の詳細な説明】
【技術分野】
【０００１】
本発明は、基礎コンクリートに埋設するアンカーボルトを、基礎地盤（捨てコンクリート）上に設置したアンカーボルト支持装置（アンカーボルト設置用架台）に取り付けて固定する際に使用するアンカーボルト保持治具及びこれを用いたアンカーボルト支持装置に関する。
【背景技術】
【０００２】
建築物の基礎コンクリート内にアンカーボルト支持装置と共に埋設するアンカーボルトは、基礎コンクリートと、基礎コンクリート上に建てられる建築物とをつなぎ、建築物を基礎コンクリートに固定する重要な役割を果たす。
このアンカーボルトを支持するアンカーボルト支持装置は、複数のアンカーボルトを所定の位置に的確に支持する必要があり、そのために従来から、アンカーボルトの支持用フレームには、強固で重量が大きいものが使用されてきた。
しかし、アンカーボルト支持装置の重心が高くなると、打設したコンクリートの圧力等によって、アンカーボルト上端の設置位置に誤差が生じやすいという問題があった。
そのため、アンカーボルトを強固に保持する保持治具やアンカーボルトの支持装置が求められていた。
【０００３】
特許文献１には、型枠内に打設したコンクリートが硬化する前に、型枠の上部にシース管を圧入して装着しておき、コンクリート固化後に、シース管内にアンカーボルトを挿入し、グラウト材を注入して定着させることで、アンカーボルト支持装置の重心を下げて安定性を確保しつつ、アンカーボルトの振れによるアンカーボルト上端の設置位置に生じる誤差を縮小する発明が開示されている。
この発明によれば、軽量のシース管を用いて複数のアンカーボルトの設置空間を確保するように構成されているので、大幅に軽量化したアンカーボルトの支持装置を提供することができる。
【先行技術文献】
【特許文献】
【０００４】
【特許文献１】特開２００６−２２５１０公報
【発明の概要】
【発明が解決しようとする課題】
【０００５】
しかし、特許文献１に係る発明は、支持装置の軽量化を図りつつ、アンカーボルトの振れによるアンカーボルト上端の設置位置に生じる誤差を縮小することを目的としているため、水平方向の設置位置における精度は高いが、鉛直方向の設置位置の精度については全く考慮されていない。
つまり、アンカーボルトの鉛直方向の位置調節を図るには、シース管の高さを調節する必要があり、そのためには、アングル材を組合わせるなどして、高さ調節を図る必要がある。
もともと、シース管相互間の上部間隔を保持する第１テンプレートのほか、各アンカーボルト相互間の上部間隔を保持する第２テンプレートが必要になる等、支持装置を構成する部品点数が増えるうえに、高さ調節を図るためには、さらにアングル材が必要になり、支持装置の設置に要する作業負担が増加する。
また、現場での作業が複雑になれば作業負担が増え、工期が長くなり、工事費が増大する。
【０００６】
そこで、本発明は、上記課題に鑑み、アンカーボルト支持装置を構成する各パーツを予め部品として製作しておき、現場では各パーツをボルトとナットで締結するだけの簡単な作業でアンカーボルト支持装置を組み立てることができ、さらに現場においてアンカーボルトの設置位置の鉛直方向の調節を簡易な作業で行い、精度良くアンカーボルトを設置できるアンカーボルトの保持治具及びこれを使ったアンカーボルトの支持装置を提供することを課題とする。
【課題を解決するための手段】
【０００７】
本発明は、上記課題を解決するため、次の技術的手段を講じている。
【０００８】
本発明は、
アンカーボルトの下端側に取り付け、アンカーボルトを保持する保持治具であって、
アンカーボルトを挟持するＵボルトの先端を挿通する挿通孔が形成された板状のプレート材と、
角部がプレート材に固着され、アンカーボルトを挟持するＵボルトが嵌るように切欠溝が形成されたＬ型断面の保持用アングル材と、
からなり、
保持用アングル材の内角側にアンカーボルトを沿えて、保持用アングル材の内角側からプレート材に挿通したＵボルトをプレート材の背面側でナットで締結することでアンカーボルトを挟持する
ことを特徴とするアンカーボルト保持治具である。
【０００９】
本発明は、板状のプレート材とＵボルトとによってアンカーボルトを挟み、Ｕボルトを締結することでアンカーボルトを保持する際に、アンカーボルトとプレート材との間に隙間が生じることで、アンカーボルトがぐらつき、強固に保持できないという問題に鑑み、アンカーボルトとプレート材との間にＬ型断面の保持用アングル材を介在させるために、保持用アングル材をプレート材に固着させたものである。
プレート材とＵボルトとによってアンカーボルトを挟むと、プレート材が板状の部材であることから、アンカーボルトとプレート材の間には、水平断面で観察すると略楔形の間隙が生じる。
そこで、この略楔形の間隙を埋め、かつ、アンカーボルトとの接触点を増やして、より強固にアンカーボルトを挟持できるように、Ｌ型断面のアングル材を用いた。
このアンカーボルトとの接触点を増やすというのは、プレート材がアンカーボルトと１点で接触するのに対し、Ｌ型断面のアングル材はアンカーボルトと２点で接触することを意味する。
Ｕボルトは、アンカーボルトの外周の約半分に接触した状態で、プレート材とによってアンカーボルトを挟む。
そこで、残り半分の非接触部分を、Ｌ型断面のアングル材によって、アンカーボルトを挟むようにした。
これにより、プレート材とＵボルトだけで挟持する従来のアンカーボルト保持治具に比べて、より強固にアンカーボルトを挟持し、保持できるようになる。
プレート材と保持用アングル材の固着には、溶接を使うこともできるし、接着剤を使うこともできる。
【００１０】
本発明は、
アンカーボルトの下端側に取り付け、アンカーボルトを保持する保持治具であって、
アンカーボルトを挟持するＵボルトの先端を挿通する挿通孔が形成された板状のプレート材と、
角部がプレート材に固着され、アンカーボルトを挟持するＵボルトが嵌るように切欠溝が形成されたＬ型断面の保持用アングル材と、
保持用アングル材の下端側の内角側に固着されたスタッドボルトと、
スタッドボルトに取り付けられたナットと、
からなり、
保持用アングル材の内角側にアンカーボルトを沿えて、保持用アングル材の内角側からプレート材に挿通したＵボルトをプレート材の背面側でナットで締結することで、スタッドボルトの上端面に載置したアンカーボルトを挟持したうえで、
ナットをスタッドボルト上で螺進させて鉛直方向に上下させ、
アンカーボルト保持治具と連結するポストアングルとの連結位置を変えることで、
アンカーボルトの鉛直方向の位置を調節することができる
ことを特徴とするアンカーボルト保持治具である。
【００１１】
本発明は、前記のアンカーボルト保持治具の保持用アングル材に、スタッドボルトを固着させたものである。
スタッドボルトには、ナットを取り付けてあり、このナットをスタッドボルト上で螺進させて鉛直方向に上下させ、アンカーボルト保持治具と連結するポストアングルとの連結位置を変えることで、アンカーボルトの鉛直方向の位置を調節することができる。
保持用アングル材にスタッドボルトを固着させたのは、後記するアンカーボルト支持装置の組み立てにおいて、現場で溶接を使うことなくボルトとナットだけで作業ができるようにしたものである。
スタッドボルトと保持用アングル材の固着には、溶接を使うこともできるし、接着剤を使うこともできる。
【００１２】
本発明は、
アンカーボルトの下端側に取り付け、アンカーボルトを保持する保持治具であって、
アンカーボルトを挟持するＵボルトの先端を挿通する挿通孔が形成された板状のプレート材と、
角部がめり込むようにプレート材に固着され、アンカーボルトを挟持するＵボルトが嵌るように切欠溝が形成されたＬ型断面の保持用アングル材と、
からなり、
保持用アングル材の内角側にアンカーボルトを沿えて、保持用アングル材の内角側からプレート材に挿通したＵボルトをプレート材の背面側でナットで締結することでアンカーボルトを挟持する
ことを特徴とするアンカーボルト保持治具である。
【００１３】
本発明は、前記のスタッドボルトを固着させていないアンカーボルト保持治具の保持用アングル材が、プレート材にめり込むようにプレート材と固着されたアンカーボルト保持治具である。
保持用アングル材は、プレート材に固着させた状態で、アンカーボルトを挟持してＵボルトとプレート材とによって保持するが、アンカーボルトは重量があるため鉛直方向に大きな荷重がかかるだけでなく、捨てコンクリートを打設した際には水平方向に大きな荷重がかかるため、保持用アングル材がプレート材から外れてしまう心配がある。
そこで、保持用アングル材を強固にプレート材に固着させるため、プレート材の一部を切り欠き、そこに保持用アングル材を嵌め込み、保持用アングル材がプレート材にめり込むようにプレート材に固着させたものである。
これにより、保持用アングル材をプレート材に当接させた状態で保持用アングル材をプレート材に固着させたアンカーボルト保持治具よりも、強固に固着したアンカーボルト保持治具を製作できる。
プレート材と保持用アングル材の固着には、溶接を使うこともできるし、接着剤を使うこともできる。
【００１４】
本発明は、
アンカーボルトの下端側に取り付け、アンカーボルトを保持する保持治具であって、
アンカーボルトを挟持するＵボルトの先端を挿通する挿通孔が形成された板状のプレート材と、
角部がめり込むようにプレート材に固着され、アンカーボルトを挟持するＵボルトが嵌るように切欠溝が形成されたＬ型断面の保持用アングル材と、
保持用アングル材の下端側の内角側に固着されたスタッドボルトと、
スタッドボルトに取り付けられたナットと、
からなり、
保持用アングル材の内角側にアンカーボルトを沿えて、保持用アングル材の内角側からプレート材に挿通したＵボルトをプレート材の背面側でナットで締結することで、スタッドボルトの上端面に載置したアンカーボルトを挟持したうえで、
ナットをスタッドボルト上で螺進させて鉛直方向に上下させ、
アンカーボルト保持治具と連結するポストアングルとの連結位置を変えることで、
アンカーボルトの鉛直方向の位置を調節することができる
ことを特徴とするアンカーボルト保持治具である。
【００１５】
本発明は、前記の保持用アングル材をプレート材にめり込むように固着させたアンカーボルト保持治具の保持用アングル材に、スタッドボルトを固着させたものである。
スタッドボルトには、ナットを取り付けてあり、このナットをスタッドボルト上で螺進させて鉛直方向に上下させ、アンカーボルト保持治具と連結するポストアングルとの連結位置を変えることで、アンカーボルトの鉛直方向の位置を調節することができる。
保持用アングル材にスタッドボルトを固着させたのは、後記するアンカーボルト支持装置の組み立てにおいて、現場で溶接を使うことなくボルトとナットだけで作業ができるようにしたものである。
スタッドボルトと保持用アングル材の固着には、溶接を使うこともできるし、接着剤を使うこともできる。
【００１６】
本発明は、
捨てコンクリート上に設置されるアンカーボルト支持装置のベース部に取り付け、ベース部から立設させてアンカーボルト保持治具などと連結させる下端側治具であって、
ベース部との間で締結するボルトを挿通する挿通孔が形成されたＬ型断面のアングル材と、
アングル材の内角側に固着されたスタッドボルトと、
スタッドボルトに取り付けられたナットと、
からなり、
ナットをスタッドボルト上で螺進させて鉛直方向に上下させ、
下端側治具と連結するポストアングルとの連結位置を変えることで、
アンカーボルトの鉛直方向の位置を調節することができる
ことを特徴とするアンカーボルト支持装置の下端側治具である。
【００１７】
アンカーボルト支持装置は、大きなものであれば運搬や設置の作業は重労働であり、また、配筋する鉄筋の位置との関係から簡単に位置を修正することはできず、さらに、アンカーボルト支持装置上に立設させた状態で連結するポストアングル及びアンカーボルトの位置（高さ）調節も容易ではない。
そこで、本発明は、アンカーボルト支持装置上に立設させた状態で連結するポストアングルやアンカーボルトの位置（高さ）調節を容易にするためのものであり、前記のアンカーボルト保持治具とともに、後記のアンカーボルト支持装置を構成する下端側治具に関する。
下端側治具は、捨てコンクリート上に設置されるアンカーボルト支持装置のベース部に取り付けて、ベース部から立設させた状態でポストアングルを連結するための治具である。
下端側治具は、ベース部との間で締結するボルトを挿通する挿通孔が形成されたＬ型断面のアングル材と、アングル材の内角側に固着されたスタッドボルトとからなり、スタッドボルトを鉛直上方に向けた状態で、アンカーボルト支持装置のベース部に取り付ける。
スタッドボルトには、ナットを取り付けることができ、このナットは、螺進させることで鉛直方向に上下させることができる。
ポストアングルの下端側治具への取り付けは、ポストアングルを下端側治具のスタッドボルトに取り付けたナット上に載置した状態で、ポストアングルの内角側でＵボルトによって挟持して締結して行う。
この状態で、下端側治具のスタッドボルトに取り付けたナットを鉛直方向に上下させると、ポストアングルも鉛直方向に上下させることができる。
この方法で、ポストアングルの位置（高さ）調節を行うことができる。
さらに、ポストアングルの位置（高さ）調節を行うことができる結果、ポストアングル上に連結したアンカーボルト保持治具とともに、アンカーボルトの位置（高さ）調節も行うことができる。。
なお、下端側治具は、捨てコンクリート上に設置されるアンカーボルト支持装置のベース部への取り付けも、ポストアングルとの取り付けも、全てボルトとナットによって締結するだけで行うことができ、取り付けも取り外しも簡単にでき、溶接作業を必要としない。
【００１８】
本発明は、
前記のスタッドボルトが固着していないアンカーボルト保持治具と、
捨てコンクリート上に設置されるベース部と、
ベース部から立設する前記の下端側治具と、
下端側治具及びアンカーボルト保持治具とそれぞれ連結させるＬ型断面のポストアングルと、
によって構成され、
ベース部から立設する前記の下端側治具のスタッドボルトをポストアングルの内角側でＵボルトによって挟持して締結し、下端側治具とポストアングルとを連結するとともに、
前記のスタッドボルトが固着していないアンカーボルト保持治具の保持用アングル材とポストアングルとを、それぞれに形成したボルト挿通孔を重ねてボルトで締結して連結し、
下端側治具のスタッドボルトに取り付けたナットを、スタッドボルト上で螺進させて鉛直方向に上下させ、
下端側治具と連結するポストアングルとの連結位置を変えることで、
アンカーボルトの鉛直方向の位置を調節することができる
ことを特徴とするアンカーボルト支持装置である。
【００１９】
本発明は、アンカーボルトを支持した状態で建築物の基礎コンクリート内に埋設するアンカーボルト支持装置である。
本発明に係るアンカーボルト支持装置は、
前記のスタッドボルトが固着していないアンカーボルト保持治具と、
捨てコンクリート上に設置されるベース部と、
ベース部から立設する前記の下端側治具と、
下端側治具及びアンカーボルト保持治具とそれぞれ連結させるＬ型断面のポストアングルと、
によって構成されている。
下端側治具は、捨てコンクリート上に設置されるアンカーボルト支持装置のベース部の４つの角部のアングルにボルトとナットで締結して、ベース部に取り付ける。
ポストアングルは、ベース部から立設した状態でベース部に取り付けられている下端側治具のスタッドボルトを、ポストアングルの内角側でＵボルトによって挟持して締結することで、下端側治具と連結する。
アンカーボルト保持治具は、保持用アングル材の下端側に、予めボルト挿通用の挿通孔を形成しておき、また、ポストアングルの上端側にも、予めボルト挿通用の挿通孔を形成しておく。
このアンカーボルト保持治具とポストアングルのそれぞれのボルト挿通用の挿通孔を重ね合わせ、両者をボルトとナットで締結する。
アンカーボルト保持治具がアンカーボルトを挟持し保持する作業手順は、前記のとおりである。
このようにして、アンカーボルト支持装置は、溶接を一切使わず、ボルトとナットだけで、組み立てることができる。
そして、下端側治具のスタッドボルトに取り付けたナットを螺進させて鉛直方向に上下させることで、下端側治具に連結したポストアングル及びポストアングルに連結したアンカーボルト保持治具、つまりアンカーボルトの鉛直方向の位置（高さ）を調節することができる。
【００２０】
本発明は、
前記のアンカーボルトが固着したアンカーボルト保持治具と、
捨てコンクリート上に設置されるベース部と、
ベース部から立設する前記の下端側治具と、
下端側治具及びアンカーボルト保持治具とそれぞれ連結させるＬ型断面のポストアングルと、
によって構成され、
ベース部から立設する前記の下端側治具のスタッドボルトをポストアングルの内角側でＵボルトによって挟持して締結し、下端側治具とポストアングルとを連結するとともに、
前記のアンカーボルトが固着したアンカーボルト保持治具のスタッドボルトをポストアングルの内角側でＵボルトによって挟持して締結し、アンカーボルト保持治具とポストアングルとを連結し、
下端側治具のスタッドボルトに取り付けたナットを、スタッドボルト上で螺進させて鉛直方向に上下させ、
下端側治具と連結するポストアングルとの連結位置を変えることで、
または／及び、
アンカーボルト保持治具のスタッドボルトに取り付けたナットを、スタッドボルト上で螺進させて鉛直方向に上下させ、
アンカーボルト保持治具と連結するポストアングルとの連結位置を変えることで、
アンカーボルトの鉛直方向の位置を調節することができる
ことを特徴とするアンカーボルト支持装置である。
【００２１】
本発明は、前記のアンカーボルト支持装置において、ポストアングルとアンカーボルト保持治具との連結を、アンカーボルト保持治具に固着したスタッドボルトによって行うようにしたものである。
つまり、本発明に係るアンカーボルト支持装置は、スタッドボルトが固着したアンカーボルト保持治具を用いており、アンカーボルト保持治具とポストアングルとの連結を、アンカーボルト保持治具に固着したスタッドボルトによって行うようにしたものである。
具体的には、ポストアングルの上端側に、予めボルト挿通用の挿通孔を形成しておき、アンカーボルト保持治具から下垂するスタッドボルトを、ポストアングルの内角側でＵボルトによって挟持して締結することで、ポストアングルとアンカーボルト保持治具とを連結する。
アンカーボルト保持治具がアンカーボルトを挟持し保持する作業手順は、前記のとおりである。
このようにして、アンカーボルト支持装置は、溶接を一切使わず、ボルトとナットだけで、組み立てることができる。
そして、下端側治具のスタッドボルトに取り付けたナットを螺進させてスタッドボルト上を鉛直方向に上下させることで、下端側治具に連結したポストアングル及びポストアングルに連結したアンカーボルト保持治具、つまりアンカーボルトの鉛直方向の位置を調節することができる。
さらに、アンカーボルト保持治具に固着したスタッドボルトにもナットを取り付けることができ、この場合、アンカーボルト保持治具をポストアングルの上端に載置することができる。
そして、アンカーボルト保持治具に固着したスタッドボルトに取り付けたナットを螺進させて鉛直方向に上下させることで、アンカーボルト保持治具、つまりアンカーボルトの鉛直方向の位置を調節することができる。
【発明の効果】
【００２２】
本発明では以下の効果を奏する。
１）極めて簡便な治具のみによって構成されたアンカーボルト支持装置であるため、扱いが極めて容易で、現場において、溶接を一切使わず、ボルトとナットのみでアンカーボルト支持装置を組み立てることができる。
２）アンカーボルト支持装置を構成する治具または部品は、全て組み立てと分解が容易な構造になっているため、現場への運搬はもちろん、現場への搬入も極めて容易に行うことができる。
３）ボルトとナットによる締結のみによって組み立てることができるため、アンカーボルトを設置したあとでも、位置修正が容易である。
４）アンカーボルト保持治具のＬ型断面のアングル材によってアンカーボルトとの隙間を少なくして強固にアンカーボルトを保持できるため、アンカーボルト７の振れによるアンカーボルト７上端の設置位置に生じる誤差を縮小させることができる結果、水平方向の設置位置の精度が極めて高い。
５）下端側治具またはアンカーボルト保持治具に固着したスタッドボルトに取り付けたナットを螺進させるだけの極めて簡単な作業で、アンカーボルトの鉛直方向の設置位置の修正を容易に行うことができる。
６）捨てコンクリート上に設置されるベース部とベース部から立設する下端側治具とが別々の部品からなることで、搬入、搬出が容易にできるほか、ベース部の設置位置（水平位置）を決めてから、鉄筋に干渉しないように下端側治具を取り付けることができ、施工が容易で作業効率の向上が期待できる。
【図面の簡単な説明】
【００２３】
【図１】スタッドボルトが固着していないアンカーボルト保持治具の一実施例の正面図
【図２】図１の背面図
【図３】図１の右側面図
【図４】図１の左側面図
【図５】図１の平面図
【図６】図１の底面図
【図７】図１のＡ−Ａ’線断面図
【図８】スタッドボルトが固着したアンカーボルト保持治具の一実施例の正面図
【図９】図８の背面図
【図１０】図８の右側面図
【図１１】図８の左側面図
【図１２】図８の平面図
【図１３】図８の底面図
【図１４】スタッドボルトが固着していないアンカーボルト保持治具の別の実施例の正面図
【図１５】保持用アングル材がプレート材にめり込むようにプレート材に固着した、スタッドボルトが固着していないアンカーボルト保持治具の正面図
【図１６】図１５の背面図
【図１７】図１５の右側面図
【図１８】図１５の平面図
【図１９】図１５の底面図
【図２０】図１５のＢ−Ｂ’線断面図
【図２１】保持用アングル材がプレート材にめり込むようにプレート材に固着した、スタッドボルトが固着したアンカーボルト保持治具の正面図
【図２２】図２１の背面図
【図２３】図２１の右側面図
【図２４】図２１の平面図
【図２５】図２１の底面図
【図２６】保持用アングル材がプレート材にめり込むようにプレート材に固着した、スタッドボルトが固着していないアンカーボルト保持治具の別の実施例の正面図
【図２７】図２６の背面図
【図２８】図２６の右側面図
【図２９】図２６の平面図
【図３０】図２６の底面図
【図３１】図２６のＣ−Ｃ’線断面図
【図３２】保持用アングル材がプレート材にめり込むようにプレート材に固着した、スタッドボルトが固着していないアンカーボルト保持治具の別の実施例の正面図
【図３３】図３２の背面図
【図３４】図３２の右側面図
【図３５】図３２の平面図
【図３６】図３２の底面図
【図３７】図３２のＤ−Ｄ’線断面図
【図３８】下端側治具の正面図
【図３９】下端側治具の右側面図
【図４０】下端側治具にポストアングルを連結した実施例の正面図
【図４１】下端側治具にポストアングルを連結した実施例の右側面図
【図４２】スタッドボルトが固着したアンカーボルト保持治具をポストアングルと連結した実施例の側面図
【図４３】スタッドボルトが固着していないアンカーボルト保持治具をポストアングルと連結した実施例の側面図
【図４４】スタッドボルトが固着していないアンカーボルト保持治具をポストアングルと連結した別の実施例の側面図
【図４５】スタッドボルトが固着していないアンカーボルト保持治具と下端治具をポストアングルによって連結した実施例の側面図
【図４６】アンカーボルト支持装置の構成の概略を示す側面図
【図４７】図４６のＥ−Ｅ’線切断面付近の構成の概略を示す断面図
【図４８】図４６のＦ−Ｆ’線断面図
【発明を実施するための形態】
【００２４】
図１乃至７は、スタッドボルトが固着していないアンカーボルト保持治具を表した図である。
アンカーボルト保持治具は、保持用アングル材１とプレート材２とからなる。
保持用アングル材１は、Ｌ型断面のアングル材であり、内角側でＵボルトとによってアンカーボルトを挟持して保持する。
保持用アングル材１の側端部には、Ｕボルトが嵌るように切欠溝３が形成されている。
切欠溝３にＵボルトが嵌るようにＵボルトを締結させることで、アンカーボルトとプレート材２との間に介在させた保持用アングル材１とＵボルトとによってアンカーボルトを強固に挟持できる。
保持用アングル材１は、その角部においてプレート材２と固着されている。
固着の手段は、溶接でも接着でも可能である。
プレート材２は、保持用アングル材１の切欠溝３に嵌るようにアンカーボルトを締結するＵボルトの先端が挿し込まれる位置に挿通孔４が形成されている。
Ｕボルトは、プレート材２の挿通孔４を挿通した状態で、プレート材２の背面側でナットによって締結する。
アンカーボルト保持治具と、アンカーボルト保持治具の下方に連結する部材との連結手段は、例えば、アンカーボルト保持治具の下端側に予めボルトを挿通する挿通孔を形成しておき、アンカーボルト保持治具の下端側で、Ｌ型断面のアングル材と挿通孔を重ね合わせてボルトとナットで締結したり、スタッドボルトをＵボルトで挟持してナットで締結する方法が挙げられる。
【００２５】
図８乃至１３は、スタッドボルトが固着したアンカーボルト保持治具を表した図である。
スタッドボルト５は、保持用アングル材１の下端側の内角側に固着している。
固着の手段は、溶接を使うこともできるし、接着剤を使うこともできる。
スタッドボルト５にはナットを取り付けることができ、このナットを螺進させて鉛直方向に上下させることで、アンカーボルト保持治具の下方に連結する部材との間で高さ調節を行うことができる。
アンカーボルト保持治具の下方に連結する部材は、例えば、捨てコンクリート上に設置されるアンカーボルト支持装置のベース部から立設するポストアングルが挙げられるが、これに限らない。
アンカーボルト保持治具と、アンカーボルト保持治具の下方に連結する部材との連結手段は、アンカーボルト保持治具から下垂するスタッドボルトをポストアングルなどのアングル材の内角側で挟持し、Ｕボルトとナットで締結する方法が挙げられる。
【００２６】
図１４は、スタッドボルトが固着していない保持用アングル材１の側端部に、Ｕボルトが嵌るように切欠溝３が形成された実施例を表した図である。
【００２７】
図１５乃至３７は、保持用アングル材がプレート材にめり込むようにプレート材に固着したアンカーボルト保持治具の実施例を表した図である。
【００２８】
特に、図１５乃至２０は、スタッドボルトが保持用アングル材に固着していない実施例を、図２１乃至２５は、スタッドボルトが保持用アングル材に固着した実施例を、それぞれ表した図である。
保持用アングル材１は、プレート材２にめり込むようにプレート材２に固着されている。
保持用アングル材は、プレート材に固着させた状態で、アンカーボルトを挟持してＵボルトとプレート材とによって保持するが、アンカーボルトは重量があるため鉛直方向に大きな荷重がかかるだけでなく、捨てコンクリートを打設した際には水平方向に大きな荷重がかかるため、保持用アングル材がプレート材から外れてしまう心配がある。
そこで、保持用アングル材１を強固にプレート材２に固着させるため、プレート材２の一部を切り欠き、そこに保持用アングル材１を嵌め込み、保持用アングル材１がプレート材２にめり込むようにプレート材２に固着させたものである。
これにより、保持用アングル材１をプレート材２に当接させた状態で保持用アングル材１をプレート材２に固着させたアンカーボルト保持治具よりも、強固に固着したアンカーボルト保持治具を製作できる。
プレート材２と保持用アングル材１の固着には、溶接を使うこともできるし、接着剤を使うこともできる。
スタッドボルト５については、前述したとおりである。
【００２９】
また、図２６乃至３１、及び、図３２乃至３７は、スタッドボルトが保持用アングル材に固着していないアンカーボルト保持治具の別の実施例をそれぞれ表した図であり、図２６乃至３１の実施例では、保持用アングル材１の下端側にＵボルトの挿通孔４が、図３２乃至３７の実施例では、保持用アングル材１の下端側にＵボルトが嵌るように切欠溝３が、それぞれ形成されている。
この切欠溝３または挿通孔４によって、アンカーボルト保持治具の下方に連結する部材との連結手段に、Ｕボルトを用いることができ、溶接を一切使用せず、現場においてボルトとナットを使って各部材を組み立てるだけで設置できる。
【００３０】
図３８及び３９は、下端側治具を表した図である。
下端側治具は、捨てコンクリート上に設置されるアンカーボルト支持装置のベース部に取り付けて、ベース部から立設させた状態でポストアングルを連結させる治具である。
下端側治具は、ベース部との間で締結するボルトを挿通する挿通孔４が形成されたＬ型断面のアングル材６と、アングル材６の内角側に固着されたスタッドボルト５とからなる。
スタッドボルト５を鉛直上方に向けた状態で、アンカーボルト支持装置のベース部に取り付ける。
下端側治具のスタッドボルト５には、ナット７を取り付けることができ、このナット７は、螺進させることで鉛直方向に上下させることができる。
【００３１】
図４０及び４１は、下端側治具にポストアングルを連結した実施例を表した図である。
ポストアングル８は、下端側治具のスタッドボルト５に取り付けたナット７に載置した状態で、下端側治具と連結する。
ナット７は、螺進させることで鉛直方向に上下させることができるため、このナット７の上下移動によって、ポストアングル８の高さを調節する。
下端側治具のスタッドボルト５は、ポストアングル８の下端側に形成された挿通孔４にＵボルトを挿し込むようにしてＵボルトで挟持して締結し、固定できる。
【００３２】
図４２乃至４４は、アンカーボルト保持治具とポストアングルとを連結した実施例を表した図である。
【００３３】
図４２は、保持用アングル材にスタッドボルトを固着させたアンカーボルト保持治具を用いてポストアングルと連結した実施例である。
保持用アングル材１にはスタッドボルト５が固着されており、アンカーボルト１０は、このスタッドボルト５の上面に載置した状態で、Ｕボルト９によってアンカーボルト１０を挟持し、保持する。
スタッドボルト５には、ナット７が取り付けられており、このナット７をポストアングル８上に載置した状態で、ポストアングル８にアンカーボルト保持治具を連結する。
ナット７は、螺進させることで鉛直方向に上下させることができるため、ナット７の上下移動によって、ポストアングル８上に連結したアンカーボルト保持治具の高さを自由に調節できる。
【００３４】
図４３及び４４は、保持用アングル材にスタッドボルトを固着させていないアンカーボルト保持治具を用いてポストアングルと連結した実施例である。
スタッドボルト５上に載置し、Ｕボルト９によってアンカーボルト１０を挟持し、保持したアンカーボルト保持治具は、保持用アングル材１にスタッドボルト５が固着されていない。
そのため、図４２と違う点は、保持用アングル材１とスタッドボルト５とを固定する必要があるという点である。
この固定手段は、図４３のように、保持用アングル材１の下端側でＬ字型のボルト等によってスタッドボルト５を挟持することで固定することもできるし、図４４のように、スタッドボルト５の上端側にボルトの挿通孔４を形成したＬ型断面のアングル材１１を固着し、このアングル材１１と保持用アングル材１とを重ね合わせ、それぞれの挿通孔４にボルトを通すことで固定することもできる。
この実施例においても、スタッドボルト５には、ナット７が取り付けられており、ナット７を螺進させることで、ポストアングル８上に載置したナット７の上下移動によって、ポストアングル８上に連結したアンカーボルト保持治具の高さを自由に調節できる。
【００３５】
図４５は、アンカーボルト保持治具、ポストアングル、下端側治具を連結した実施例を表した図である。
アンカーボルト保持治具とポストアングルの連結は、予め挿通孔４を形成した保持用アングル材１と、予め挿通孔４を形成したポストアングル８の各挿通孔４を重ね合わせ、ボルトで締結している。
ポストアングルと下端側治具の連結は、下端側治具のスタッドボルト５に取り付けたナット７上にポストアングル８を載置し、ポストアングル８の内角側でスタッドボルト５をＬ字型のボルト等で挟持して締結している。
【００３６】
図４６乃至４８は、スタッドボルトが固着していないアンカーボルト保持治具、及び、下端側治具を使ったアンカーボルト支持装置である。
下端側治具は、そのアングル材６をベース部１２に取り付け、ポストアングル８は、下端側治具のスタッドボルト５に取り付けたナット７上に載置するようにして下端側治具と連結している。
ポストアングル８は、アンカーボルト保持治具の保持用アングル材１と、予め形成した挿通孔４にボルトを挿通して連結している。
本実施例に係るアンカーボルト支持装置によれば、下端側治具のスタッドボルトに取り付けたナットを螺進させて鉛直方向に上下させることで、下端側治具に連結したポストアングル及びポストアングルに連結したアンカーボルト保持治具の鉛直方向の位置を調節することができる。
さらに、アンカーボルト保持治具の保持用アングル材にスタッドボルトを固着し、このスタッドボルトにもナットを取り付ければ、アンカーボルト保持治具をポストアングルの上端に載置して、ナットを螺進させて鉛直方向に上下させることで、アンカーボルト保持治具の鉛直方向の位置を調節することができる。
アンカーボルト保持治具は、スタッドボルトを固着させなくても、保持用アングル材の任意の位置に挿通孔を形成することで、ポストアングルと所望の位置（高さ）でポストアングルと連結することができるし、下端側治具のナットの高さを変えることで、アンカーボルト保持治具の高さを調節できる。
【００３７】
以上の実施形態からなるアンカーボルト支持装置によれば、アンカーボルトを強固に保持するため、打設した基礎コンクリートの圧力等によってもアンカーボルト上端の設置位置に誤差が生じることがなく、精度良くアンカーボルトを設置できる。
また、保持用アングル材は、アンカーボルトとの隙間が少なくなるようにＬ型の断面をなしており、Ｕボルトとによって挟持したときに、アンカーボルトを強固に保持し、垂直力、特に引き抜き力に対する支持力を増強させることができる。
特に、下端側治具は、ナットを螺進させるだけの極めて簡単な作業で、アンカーボルトの鉛直方向の設置位置の修正を容易に行うことができ、アンカーボルトを設置したあとでも、位置修正が容易にできる。
このように、本発明に係るアンカーボルト支持装置は、極めて簡便な治具のみによって構成されており、全て組み立てと分解が容易な構造になっているため、現場への運搬はもちろん、現場への搬入も極めて容易に行うことができる。
さらに、治具または装置の取り扱いが極めて容易で、現場において、溶接を一切使わず、ボルトとナットのみでアンカーボルト支持装置を組み立てることができるため、熟練の技術を必要とせず、施工が容易で作業効率の向上が期待できる。
【符号の説明】
【００３８】
１    保持用アングル材
２    プレート材
３    切欠溝
４    挿通孔
５    スタッドボルト
６    アングル材（下端側治具）
７    ナット
８    ポストアングル
９    Ｕボルト
１０    アンカーボルト
１１    アングル材（スタッドボルト固定）
１２    ベース部
【図１】
0006549887.tif 000002
【図２】
0006549887.tif 000003
【図３】
0006549887.tif 000004
【図４】
0006549887.tif 000005
【図５】
0006549887.tif 000006
【図６】
0006549887.tif 000007
【図７】
0006549887.tif 000008
【図８】
0006549887.tif 000009
【図９】
0006549887.tif 000010
【図１０】
0006549887.tif 000011
【図１１】
0006549887.tif 000012
【図１２】
0006549887.tif 000013
【図１３】
0006549887.tif 000014
【図１４】
0006549887.tif 000015
【図１５】
0006549887.tif 000016
【図１６】
0006549887.tif 000017
【図１７】
0006549887.tif 000018
【図１８】
0006549887.tif 000019
【図１９】
0006549887.tif 000020
【図２０】
0006549887.tif 000021
【図２１】
0006549887.tif 000022
【図２２】
0006549887.tif 000023
【図２３】
0006549887.tif 000024
【図２４】
0006549887.tif 000025
【図２５】
0006549887.tif 000026
【図２６】
0006549887.tif 000027
【図２７】
0006549887.tif 000028
【図２８】
0006549887.tif 000029
【図２９】
0006549887.tif 000030
【図３０】
0006549887.tif 000031
【図３１】
0006549887.tif 000032
【図３２】
0006549887.tif 000033
【図３３】
0006549887.tif 000034
【図３４】
0006549887.tif 000035
【図３５】
0006549887.tif 000036
【図３６】
0006549887.tif 000037
【図３７】
0006549887.tif 000038
【図３８】
0006549887.tif 000039
【図３９】
0006549887.tif 000040
【図４０】
0006549887.tif 000041
【図４１】
0006549887.tif 000042
【図４２】
0006549887.tif 000043
【図４３】
0006549887.tif 000044
【図４４】
0006549887.tif 000045
【図４５】
0006549887.tif 000046
【図４６】
0006549887.tif 000047
【図４７】
0006549887.tif 000048
【図４８】
0006549887.tif 000049